(57)【要約】      （修正有）【課題】漏れた液体による不都合な事象がより生じ難い回転電機および巻上機を得る。【解決手段】回転電機１Ａは、回転部４と、ステータ３と、ケース２と、を備える。回転部４は、ロータ４ａを含み、回転可能である。ステータ３は、ロータ４ａの外周側に位置される。ケース２には、回転部が貫通する貫通部２２ｇが設けられる。ケース２の外側面上で、貫通部２２ｇに貫通した回転部４の外周側に、回転部４側に開口部を有する受部３２が設けられる。【選択図】図１
2014050148.tif 000002
【特許請求の範囲】
【請求項１】
ロータを含む回転可能な回転部と、
前記ロータの外周側に位置されたステータと、
前記回転部が貫通する貫通部が設けられたケースと、
前記ケースの外側面上で、前記貫通部に貫通した前記回転部の外周側に、前記回転部側に開口部を有する受部が設けられた回転電機。
【請求項２】
ロータを含む回転可能な回転部と、
前記ロータの外周側に位置されたステータと、
前記回転部が貫通する貫通部が設けられたケースと、
前記ケースの内側に設けられ、前記回転部を回転可能に支持する軸受と、
を備え、
前記ケースの外側に、前記軸受の潤滑剤を受ける受部が設けられた回転電機。
【請求項３】
前記ケースから外側に突出した突出部を備え、
前記突出部によって前記受部の少なくとも一部が構成された、請求項２に記載の回転電機。
【請求項４】
前記突出部の内部に前記潤滑剤の通路が設けられた、請求項３に記載の回転電機。
【請求項５】
前記受部と前記ケース内に設けられた前記潤滑剤の収容部または前記通路とを繋ぐ第二の通路が設けられた、請求項４に記載の回転電機。
【請求項６】
前記通路の開口を開閉可能に覆う蓋と、
前記蓋が開けられた状態で前記潤滑剤が前記通路から前記開口を介して当該通路外へ出るのを抑制する障壁部と、
を備え、
前記受部で受けた前記潤滑剤を、前記障壁部の前記開口とは反対側に案内する第三の通路が設けられた、請求項５に記載の回転電機。
【請求項７】
前記第三の通路は、前記受部で受けた前記潤滑剤を前記軸受側に案内する、請求項６に記載の回転電機。
【請求項８】
前記通路の開口部を覆う蓋を備え、
前記蓋によって前記受部の少なくとも一部が構成された、請求項４〜７のうちいずれか一つに記載の回転電機。
【請求項９】
ロープが掛けられるシーブと、
前記シーブと接続され当該シーブとともに回転するロータを含む回転部と、
前記ロータの外周側を囲い電磁力により前記ロータを回転させるステータと、
前記回転部が貫通する貫通部が設けられたケースと、
を備え、
前記ケースの外側に受部が設けられた巻上機。
【発明の詳細な説明】
【技術分野】
【０００１】
本発明の実施形態は、回転電機および巻上機に関する。
【背景技術】
【０００２】
回転電機および巻上機にはシャフトと、シャフトを回転自在に支持する軸受が設けられている。このシャフトが軸受に対してより円滑に回転するため、軸受には潤滑剤が供給される。
しかしながら、この潤滑剤が回転電機および巻上機内へ漏洩すると、機内の部品の汚損につながるなど問題が生じる恐れがあった。そのため、機内への潤滑剤の漏れを抑制する構造を備えた回転電機が知られている。（例えば、特許文献１）
【先行技術文献】
【特許文献】
【０００３】
【特許文献１】特開２０１１−１４９５５５号公報
【発明の概要】
【発明が解決しようとする課題】
【０００４】
しかしながら、従来の方法では回転電機および巻上機の機外側への潤滑剤の漏洩は防止できていなかった。機外側へ潤滑剤が漏洩すると、回転電機および巻上機の本体のみだけでなく、その周辺に設置されている機器へも影響する恐れがあった。
本発明が解決しようとする課題は、機外へ潤滑剤の漏洩した際に周辺機器への影響を抑制することのできる回転電機および巻上機を提供することにある。
【課題を解決するための手段】
【０００５】
本発明の実施形態にかかる回転電機は、回転部と、ステータと、ケースと、を備える。回転部は、ロータを含み、回転可能である。ステータは、ロータの外周側に位置される。ケースには、回転部が貫通する貫通部が設けられる。ケースの外側面上で、貫通部に貫通した回転部の外周側に、回転部側に開口部を有する受部が設けられる。
【図面の簡単な説明】
【０００６】
【図１】図１は、第１実施形態にかかる回転電機の一例の側面図（一部断面図）である。
【図２】図２は、第１実施形態にかかる回転電機の一例の正面図（図１の矢視IIでの図）である。
【図３】図３は、図１の軸受を含む部分を拡大して示した断面図である。
【図４】図４は、第１実施形態の第１変形例にかかる回転電機の一例の一部の断面図（図３と同様の位置での断面図）である。
【図５】図５は、第１実施形態の第２変形例にかかる回転電機の一例の一部の断面図（図３と同様の位置での断面図）である。
【図６】図６は、第１実施形態の第３変形例にかかる回転電機の一例の一部の断面図（図３と同様の位置での断面図）である。
【図７】図７は、第１実施形態の第４変形例にかかる回転電機の一例の一部の断面図（図３と同様の位置での断面図）である。
【図８】図８は、第１実施形態の第５変形例にかかる回転電機の一例の一部の断面図（図３と同様の位置での断面図）である。
【図９】図９は、第１実施形態の第６変形例にかかる回転電機の一例の一部の断面図（図３と同様の位置での断面図）である。
【図１０】図１０は、第１実施形態の第７変形例にかかる回転電機の一例の一部の断面図（図３と同様の位置での断面図）である。
【図１１】図１１は、第１実施形態の第８変形例にかかる回転電機の一例の一部の断面図（図３と同様の位置での断面図）である。
【図１２】図１２は、第１実施形態の第９変形例にかかる回転電機の一例の正面図（図２と同様の視線での正面図）である。
【図１３】図１３は、第２実施形態にかかる回転電機の一例の一部の断面図（図３と同様の位置での断面図）である。
【図１４】図１４は、第２実施形態の第１変形例にかかる回転電機の一例の一部の断面図（図３と同様の位置での断面図）である。
【図１５】図１５は、第２実施形態の第２変形例にかかる回転電機の一例の一部の断面図（図３と同様の位置での断面図）である。
【図１６】図１６は、第２実施形態の第３変形例にかかる回転電機の一例の一部の断面図（図３と同様の位置での断面図）である。
【図１７】図１７は、第３実施形態にかかる巻上機の一例が模式的に示された側面図である。
【発明を実施するための形態】
【０００７】
以下の例示的な複数の実施形態ならびに変形例には、同様の構成要素が含まれている。よって、以下では、同様の構成要素には共通の符号が付されるとともに、重複する説明が省略される。なお、各図の上方が、回転電機が設置された状態での上方（鉛直上方）である。
【０００８】
＜第１実施形態＞
本実施形態では、一例として、図１〜３に示されるように、回転電機１Ａ（モータやジェネレータ等、本実施形態では、一例としてモータ）は、ケース２（筐体）や、ステータ３（固定部）、回転部４（可動部）、軸受２４等を有している。
【０００９】
ケース２内には、略円筒状の空間２ａ（室）が設けられている。空間２ａには、ステータ３や回転部４等の部品が収容されている。すなわち、ケース２は、ステータ３や、回転部４、軸受２４等を覆っている。
【００１０】
ケース２は、複数の分割体（部品、部材）を有している。本実施形態では、一例として、ケース２は、端部材２１，２２と、中間部材２３と、を有する。端部材２１，２２は、回転軸Ａｘの軸方向の両側に位置されている。中間部材２３は、端部材２１と端部材２２との間に位置され、回転軸Ａｘの軸方向に延びて、端部材２１と端部材２２とに亘っている。端部材２１，２２および中間部材２３は、例えば、金属材料で構成されることができ、鋳造やプレス成形等で形成されることができる。
【００１１】
端部材２１は、壁部２１ａ（端壁、軸受ブラケット）と接続部２１ｂ（結合部）とを有する。壁部２１ａは、円板状に構成されている。壁部２１ａの中央部には、凹部２１ｃが設けられている。凹部２１ｃは、ケース２外側（図１では左側）に向けて略円筒状に凹み、ケース２内側（図１では右側）に向けて開口されている。凹部２１ｃ内には、軸受２４が収容されている。軸受２４は、例えば、玉軸受やころ軸受等の転がり軸受であることができ、本実施形態では、一例として、玉軸受である。凹部２１ｃのケース２内側（開口側、図１では右側）は蓋部材２１ｄで覆われている。すなわち、壁部２１ａの凹部２１ｃが設けられた部分と蓋部材２１ｄとによって、軸受２４の収容室２１ｅが構成されている。壁部２１ａの凹部２１ｃが設けられた部分と蓋部材２１ｄとによって、軸受２４のケースが構成されていると言うこともできる。蓋部材２１ｄには、開口部２１ｆ（貫通部）が設けられている。回転部４は、開口部２１ｆを貫通している。
【００１２】
接続部２１ｂは、壁部２１ａの周縁部に位置され、中間部材２３と接続される。接続部２１ｂは、凹凸形状（凹部または凸部）を有する。端部材２１と中間部材２３とは、例えば、溶接や、結合具（例えば、ねじ、図示されず）による結合等によって、互いに接続されている。端部材２１と中間部材２３との境界部分には、シール材（例えば、ガスケット、Ｏリング等、図示されず）が介在することができる。この場合、シール材により、当該境界部分で液体や気体等が漏れたり浸入したりするのが抑制される。
【００１３】
中間部材２３は、円筒状（環状）の壁部２３ａ（側壁、周壁）を有する。中間部材２３の内周側（内面）に、ステータ３が固定されている（取り付けられている）。
【００１４】
端部材２２は、壁部２２ａ（端壁、軸受ブラケット）と接続部２２ｂ（結合部）とを有する。壁部２２ａは、円板状に構成されている。壁部２２ａの中央部には、凹部２２ｃが設けられている。凹部２２ｃは、ケース２外側（図１では右側）に向けて略円筒状に凹み、ケース２内側（図１では左側）に向けて開口されている。凹部２２ｃ内には、軸受２４が収容されている。凹部２２ｃのケース２内側（開口側、図１では左側）は蓋部材２２ｄで覆われている。すなわち、壁部２２ａの凹部２２ｃが設けられた部分と蓋部材２２ｄとによって、軸受２４の収容室２２ｅ（収容部）が構成されている。壁部２２ａの凹部２２ｃが設けられた部分と蓋部材２２ｄとによって軸受２４のケースが構成されていると言うこともできる。蓋部材２２ｄには、開口部２２ｆ（貫通部）が設けられている。回転部４は、開口部２２ｆを貫通している。また、壁部２２ａには、開口部２２ｇ（貫通部）が設けられている。回転部４は、開口部２２ｇを貫通し、ケース２の外に延びている。
【００１５】
接続部２２ｂは、壁部２２ａの縁部（周縁部、外縁部）に位置され、中間部材２３と接続される。接続部２２ｂは、凹凸形状（凹部または凸部）を有する。端部材２２と中間部材２３とは、例えば、溶接や、結合具（例えば、ねじ）による結合等によって、互いに接続されている。端部材２２と中間部材２３との境界部分には、シール材（例えば、ガスケット、Ｏリング等、図示されず）が介在することができる。この場合、シール材により、当該境界部分で液体や気体等が漏れたり浸入したりするのが抑制される。
【００１６】
回転部４は、複数の軸受２４に回転可能に支持され、回転軸Ａｘ回りに回転することができる。回転部４は、ロータ４ａや、シャフト４ｂ、軸受接続部４ｃ（支持部）等を有する。ロータ４ａは、ステータ３の鉄心３ａの内周側に位置される。ロータ４ａの外周と鉄心３ａの内周との間には、隙間が設けられる。ステータ３は、全体としてはロータ４ａの外周側を囲う環状に構成されている。ステータ３は、鉄心３ａや、コイル３ｂ（巻線）等を有する。回転電機１Ａがモータとして構成される場合、コイル３ｂを流れる電流が電気回路（制御回路、制御装置、図示されず）によって制御され、電磁誘導によってステータ３とロータ４ａとの間に電磁力が生じる。この電磁力により、ロータ４ａが回転軸Ａｘ回りに回転する。ロータ４ａは、コイル３ｂを流れる電流の制御により、回転軸Ａｘ回りの双方向（回転軸Ａｘの軸方向一方側から見て、時計回り方向ならびに反時計回り方向）に回転することができる。なお、回転電機１Ａは、ジェネレータとして構成することもできる。
【００１７】
本実施形態では、一例として、軸受２４では、潤滑剤（潤滑油、グリース、液体）が用いられる。潤滑剤は、軸受２４に留まる（保持される）のが理想的であるが、軸受２４から出る場合がある。また、潤滑剤は、経時的に劣化し、所期の潤滑性能を得られにくくなる場合がある。そこで、本実施形態では、一例として、軸受２４が収容された収容室２１ｅ，２２ｅ内に潤滑剤が留まるよう構成されるとともに、当該潤滑剤を収容室２１ｅ，２２ｅに連通した通路３０ａを介して回収できるように構成されている。なお、回転電機１Ａには、軸受２４に潤滑剤を供給する供給通路（図示されず）が設けられている。したがって、組み立て時やメンテナンス時等に、作業者は、軸受２４に供給通路を介して潤滑剤を供給することができる。その場合、作業者は、供給された新しい潤滑剤とほぼ等量の古い潤滑剤を、通路３０ａから回収する。
【００１８】
また、本実施形態では、一例として、通路３０ａは、ケース２の壁部２２ａから突出した突出部３０Ａ内に設けられている。突出部３０Ａは、回転部４のケース２から露出（突出）したシャフト４ｂの下方に位置されている。突出部３０Ａは、一例としては、直方体状の外観を呈し、角筒状に構成されている。通路３０ａは、突出部３０Ａの壁部３０ｂ（上壁、天壁）や、壁部３０ｃ，３０ｄ（側壁）、壁部３０ｅ（下壁、底壁）等に囲まれて四角形状の断面を有し、回転軸Ａｘの軸方向に沿って延びている。突出部３０Ａには、当該突出部３０Ａの突出側の端部３０ｆ（先端部）に開口した、通路３０ａの開口部３０ｇ（開口）が設けられている。開口部３０ｇは、四角形状（本実施形態では、一例として長方形状）かつ板状の蓋部材３１（蓋）で覆われている（塞がれている）。蓋部材３１は、結合具３５（例えば、ねじ等）で突出部３０Ａに結合されている。なお、突出部３０Ａの端部３０ｆ（開口部３０ｇの縁）と蓋部材３１との境界部分には、シール材（例えば、ガスケット、Ｏリング、コーキング剤等、図示されず）が介在することができる。この場合、シール材により、当該境界部分で液体や気体等が漏れたり浸入したりするのが抑制される。また、蓋部材３１は、透明な材料（例えばアクリル樹脂等）で構成してもよいし、透明な部分（窓）を有してもよい。こうすれば、作業者は、通路３０ａ内の状態（例えば、潤滑剤の有無、潤滑剤の劣化の様子等）を視認することができる。
【００１９】
そして、本実施形態では、一例として、突出部３０Ａの上部に、受部３２が設けられている。受部３２は、ケース２の内側から開口部２２ｇを介してケース２の外側へ出た潤滑剤等の液体を受ける。受部３２は、本実施形態では、一例として、突出部３０Ａの上部、具体的には、壁部３０ｂ上に、上方（シャフト４ｂ側）に向けて開放された開口部を有している凹部として構成されている。突出部３０Ａの壁部３０ｃ，３０ｄは、壁部３０ｂより上方に突出している。また、蓋部材３１も、壁部３０ｂより上方に突出している。受部３２は、これら壁部３０ｂ、壁部３０ｃ，３０ｄの突出部３０ｃ１，３０ｄ１、壁部２２ａ、および蓋部材３１で囲まれた比較的浅い角筒状（角皿状）の凹部として構成されている。このような構成により、本実施形態では、開口部２２ｇからケース２の外側へ流出した潤滑剤等の液体を、受部３２で受けることができる。よって、流出した潤滑剤等の液体により不都合な事象が生じるのがより抑制されやすい。また、本実施形態では、一例として、受部３２は、シャフト４ｂ（回転部４）の下方に位置されている。よって、本実施形態によれば、一例としては、受部３２は、シャフト４ｂを伝って流出した液体も、受けることができる。さらに、本実施形態では、一例として、図２に示されるように、受部３２の開口部の幅（長さ）は、シャフト４ｂの幅よりも広い。よって、シャフト４ｂを伝ってシャフト４ｂの回転によって潤滑剤等の液体が飛ばされた（飛び散った）ような場合にあっても、当該液体を受部３２で受けやすい。また、受部３２の開口部がシャフト４ｂより幅広である（長い）分、受部３２内に液体が入っていること（溜まっていること）を作業員等が視認しやすく、また、作業員等が受部３２から液体を除去する（例えば、ウエス等で拭き取る）作業を実施しやすい。
【００２０】
以上、説明したように、本実施形態では、一例として、ケース２の外側に、ケース２の内側から開口部２２ｇ（貫通部）を介してケース２の外側に出た軸受２４の潤滑剤を受ける受部３２が設けられた。よって、本実施形態によれば、一例としては、開口部２２ｇからケース２の外側に出た潤滑剤等の液体による不都合な事象がより生じ難くなる。
【００２１】
また、本実施形態では、一例として、ケース２に取り付けた突出部３０Ａにより、受部３２の一部が構成された。よって、本実施形態によれば、一例としては、受部３２を比較的容易に構成したり追加したりすることができる。なお、突出部３０Ａは、ケース２と一体化されている必要は無い。
【００２２】
また、本実施形態では、一例として、受部３２の少なくとも一部が、潤滑剤の通路３０ａを構成する突出部３０Ａによって構成された。よって、本実施形態によれば、一例としては、受部３２を突出部３０Ａとは別に構成する場合に比べて、製造の手間や製造コストがより低減されやすい。
【００２３】
また、本実施形態では、一例として、通路３０ａの開口部３０ｇを覆う蓋部材３１（蓋）によって受部３２の少なくとも一部が構成された。よって、本実施形態によれば、一例としては、受部３２を蓋部材３１とは別に構成する場合に比べて、製造の手間や製造コストがより低減されやすい。
【００２４】
＜第１実施形態の第１変形例＞
本変形例にかかる回転電機１Ｂは、上記他の実施形態にかかる回転電機１Ａと同様の構成を備えている。よって、本変形例によっても、上記他の実施形態と同様の構成に基づく同様の結果が得られる。ただし、本変形例では、一例として、図４に示されるように、突出部３０Ｂに通路３３Ｂ（第二の通路）が設けられている点が、上記他の実施形態とは異なる。具体的に、本変形例では、通路３３Ｂは、突出部３０Ａと同様の形状を有し受部３２が設けられた突出部３０Ｂの壁部３０ｂに、開口部（本実施形態では、一例として貫通孔）として設けられている。通路３３Ｂは、受部３２と通路３０ａとを繋いでいる（連通している）。よって、本変形例によれば、一例としては、受部３２に入った潤滑剤等の液体は、通路３３Ｂを介して通路３０ａに入る（落下する）ことができる。よって、一例としては、回転電機および巻上機、またその周辺機器に対する影響を抑制でき、液体による不都合な事象がより一層生じ難くなる。
【００２５】
＜第１実施形態の第２変形例＞
本変形例にかかる回転電機１Ｃは、上記他の実施形態や変形例にかかる回転電機１Ａ，１Ｂと同様の構成を備えている。よって、本変形例によっても、上記他の実施形態や変形例と同様の構成に基づく同様の結果が得られる。ただし、本変形例では、一例として、図５に示されるように、突出部３０Ｃが障壁部３０ｈを有している点が、上記他の実施形態や変形例とは異なる。具体的に、本変形例では、障壁部３０ｈは、突出部３０Ａ，３０Ｂと同様の形状を有した突出部３０Ｃの壁部３０ｅの、開口部３０ｇ側の縁に、上方に向けて突出した突出部（突起）として設けられている。よって、本変形例によれば、一例としては、蓋部材３１が開けられた状態でも（開けられた際にも）、障壁部３０ｈにより、潤滑剤等の液体が通路３０ａから開口部３０ｇを介して当該通路３０ａ外へ出るのが抑制される。よって、一例としては、回転電機および巻上機、またその周辺機器に対する影響を抑制でき、液体による不都合な事象がより一層生じ難くなる。
【００２６】
また、本変形例では、突出部３０Ｃには、通路３３Ｂと同様の機能を有する通路３３Ｃ（第二の通路）が設けられている。ただし、この通路３３Ｃは、通路３０ａの開口部３０ｇから離間して位置されるとともに、障壁部３０ｈの直上方からは外して位置されている。よって、本変形例によれば、一例としては、通路３３Ｃから通路３０ａ内に入った潤滑剤等の液体が、開口部３０ｇ近傍（例えば、障壁部３０ｈ上）に存在することが抑制される。よって、一例としては、蓋部材３１が開けられた状態でも（開けられた際にも）、液体が通路３０ａから開口部３０ｇを介して当該通路３０ａ外へ出るのが抑制される。よって、一例としては、回転電機および巻上機、またその周辺機器に対する影響を抑制でき、液体による不都合な事象がより一層生じ難くなる。
【００２７】
＜第１実施形態の第３変形例＞
本変形例にかかる回転電機１Ｄは、上記他の実施形態や変形例にかかる回転電機１Ａ〜１Ｃと同様の構成を備えている。よって、本変形例によっても、上記他の実施形態や変形例と同様の構成に基づく同様の結果が得られる。ただし、本変形例では、一例として、図６に示されるように、突出部３０Ｄがガイド壁部３４Ｄを有している点が、上記他の実施形態や変形例とは異なる。具体的に、本変形例では、ガイド壁部３４Ｄは、蓋部材３１に固定され、通路３３Ｂと障壁部３０ｈとの間に位置され、蓋部材３１と軸受２４（の近傍）との間に亘り、蓋部材３１側（開口部３０ｇ側）から軸受２４側（開口部３０ｇとは反対側、障壁部３０ｈの開口部３０ｇ側とは反対側）へ向かうにつれて下方へ向かうように傾斜している。よって、本変形例によれば、一例としては、通路３３Ｂから通路３０ａ内に入った潤滑剤等の液体は、ガイド壁部３４Ｄによって案内され、障壁部３０ｈの開口部３０ｇ側とは反対側かつ軸受２４側へ向けて流れる。すなわち、本変形例では、ガイド壁部３４Ｄによって、当該ガイド壁部３４Ｄの上面側に、潤滑剤等の液体を、障壁部３０ｈの開口部３０ｇとは反対側へ案内する（流す）とともに軸受２４側へ案内する（流す）通路３３Ｄ（第二の通路、第三の通路）が構成されている。よって、一例としては、通路３３Ｄ（ガイド壁部３４Ｄ）により、通路３３Ｂから通路３０ａ内に入った潤滑剤等の液体が、開口部３０ｇ近傍（例えば、障壁部３０ｈ上）に存在することが抑制される。よって、一例としては、回転電機および巻上機、またその周辺機器に対する影響を抑制でき、液体による不都合な事象がより一層生じ難くなる。また、一例としては、潤滑剤等の液体が軸受２４の潤滑に再利用されやすい。
【００２８】
＜第１実施形態の第４変形例＞
本変形例にかかる回転電機１Ｅは、上記他の実施形態や変形例にかかる回転電機１Ａ〜１Ｄと同様の構成を備えている。よって、本変形例によっても、上記他の実施形態や変形例と同様の構成に基づく同様の結果が得られる。ただし、本変形例では、一例として、図７に示されるように、突出部３０Ｅに通路３３Ｅ（第二の通路）が設けられている点が、上記他の実施形態や変形例とは異なる。この通路３３Ｅは、上方から下方へ向かうにつれて蓋部材３１側（開口部３０ｇ側）から軸受２４側（開口部３０ｇとは反対側、障壁部３０ｈの開口部３０ｇ側とは反対側）へ向かうように傾斜している。よって、本変形例によっても、通路３３Ｅの傾斜により、通路３０ａ内に入った潤滑剤等の液体が、開口部３０ｇ近傍（例えば、障壁部３０ｈ上）に存在することが抑制される。よって、本変形例によれば、一例としては、蓋部材３１が開けられた状態で（開けられた際に）、液体が通路３０ａから開口部３０ｇを介して当該通路３０ａ外へ出るのが抑制される。よって、一例としては、回転電機および巻上機、またその周辺機器に対する影響を抑制でき、液体による不都合な事象がより一層生じ難くなる。
【００２９】
＜第１実施形態の第５変形例＞
本変形例にかかる回転電機１Ｆは、上記他の実施形態や変形例にかかる回転電機１Ａ〜１Ｅと同様の構成を備えている。よって、本変形例によっても、上記他の実施形態や変形例と同様の構成に基づく同様の結果が得られる。ただし、本変形例では、一例として、図８に示されるように、通路３３Ｆ（第二の通路、第三の通路）が設けられている点が、上記他の実施形態や変形例とは異なる。この通路３３Ｆは、突出部３０Ｆと隣接した壁部２２ａに設けられている。よって、本変形例によれば、潤滑剤等の液体は、受部３２から収容室２２ｅへ入る。また、通路３３Ｆは、上方から下方へ向かうにつれて蓋部材３１側（開口部３０ｇ側）から軸受２４側（開口部３０ｇとは反対側、障壁部３０ｈの開口部３０ｇ側とは反対側）へ向かうように傾斜している。よって、本変形例によっても、潤滑剤等の液体が開口部３０ｇ近傍（例えば、障壁部３０ｈ上）に存在することが抑制される。よって、本変形例によれば、一例としては、蓋部材３１が開けられた状態で（開けられた際に）、液体が通路３０ａから開口部３０ｇを介して当該通路３０ａ外へ出るのが抑制される。よって、一例としては、回転電機および巻上機、またその周辺機器に対する影響を抑制でき、液体による不都合な事象がより一層生じ難くなる。
【００３０】
＜第１実施形態の第６変形例＞
本変形例にかかる回転電機１Ｇは、上記他の実施形態や変形例にかかる回転電機１Ａ〜１Ｆと同様の構成を備えている。よって、本変形例によっても、上記他の実施形態や変形例と同様の構成に基づく同様の結果が得られる。ただし、本変形例では、一例として、図９に示されるように、突出部３０Ｇに通路３３Ｂが設けられ、突出部３０Ｇが、内部に通路３３Ｇ（第二の通路、第三の通路）を有した管部材３４Ｇ（管、パイプ）を有している点が、上記他の実施形態や変形例とは異なる。具体的に、本変形例では、管部材３４Ｇは、壁部３０ｂに固定され、通路３３Ｂと軸受２４との間に亘っている。管部材３４Ｇは、下方に向かうにつれて通路３３Ｂ側（蓋部材３１側、開口部３０ｇ側）から軸受２４側（開口部３０ｇとは反対側）へ向かうように傾斜している。よって、通路３３Ｂから管部材３４Ｇ内の通路３３Ｇに入った潤滑剤等の液体は、当該通路３３Ｇ（管部材３４Ｇ）によって案内され、障壁部３０ｈの開口部３０ｇ側とは反対側かつ軸受２４側へ向けて流れる。すなわち、本変形例では、一例として、管部材３４Ｇの内部（管内）の通路３３Ｇは、潤滑剤等の液体を、障壁部３０ｈの開口部３０ｇとは反対側へ案内する（流す）とともに軸受２４側へ案内する（流す）。よって、本変形例によれば、一例としては、通路３３Ｇ（管部材３４Ｇ）により、通路３３Ｂから通路３０ａ内に入った潤滑剤等の液体が、開口部３０ｇ近傍（例えば、障壁部３０ｈ上）に存在することが抑制される。よって、一例としては、回転電機および巻上機、またその周辺機器に対する影響を抑制でき、液体による不都合な事象がより一層生じ難くなる。また、一例としては、潤滑剤等の液体が軸受２４の潤滑に再利用されやすい。
【００３１】
＜第１実施形態の第７変形例＞
本変形例にかかる回転電機１Ｈは、上記他の実施形態や変形例にかかる回転電機１Ａ〜１Ｇと同様の構成を備えている。よって、本変形例によっても、上記他の実施形態や変形例と同様の構成に基づく同様の結果が得られる。ただし、本変形例では、一例として、図１０に示されるように、突出部３０Ｈに通路３３Ｂが設けられ、突出部３０Ｈの壁部３０ｅの通路３０ａの内面３０ｉ（上面、面）が傾斜している点が、上記他の実施形態や変形例とは異なる。具体的に、本変形例では、内面３０ｉは、下方に向かうにつれて通路３３Ｂ側（開口部３０ｇ側）から軸受２４側（開口部３０ｇとは反対側）へ向かうように傾斜している。よって、通路３３Ｂから通路３０ａ内に入った潤滑剤等の液体は、内面３０ｉによって案内され、開口部３０ｇ側とは反対側かつ軸受２４側へ向けて流れる。すなわち、本変形例では、一例として、通路３０ａの内面３０ｉに、潤滑剤等の液体を軸受２４側へ案内する（流す）通路３３Ｈ（第二の通路、第三の通路）が構成されている。よって、一例としては、通路３３Ｈ（内面３０ｉ）により、通路３３Ｂから通路３０ａ内に入った潤滑剤等の液体が、開口部３０ｇ近傍に存在することが抑制される。よって、一例としては、回転電機および巻上機、またその周辺機器に対する影響を抑制でき、液体による不都合な事象がより一層生じ難くなる。また、一例としては、潤滑剤等の液体が軸受２４の潤滑に再利用されやすい。
【００３２】
＜第１実施形態の第８変形例＞
本変形例にかかる回転電機１Ｉは、上記他の実施形態や変形例にかかる回転電機１Ａ〜１Ｈと同様の構成を備えている。よって、本変形例によっても、上記他の実施形態や変形例と同様の構成に基づく同様の結果が得られる。ただし、本変形例では、一例として、図１１に示されるように、突出部３０Ｉがガイド壁部３４Ｉを有している点が、上記他の実施形態や変形例とは異なる。具体的に、本変形例では、ガイド壁部３４Ｉは、突出部３０Ｉの通路３０ａ内で壁部３０ｅ等に固定され、蓋部材３１と軸受２４（の近傍）との間に亘り、蓋部材３１側（開口部３０ｇ側）から軸受２４側（開口部３０ｇとは反対側）へ向かうにつれて下方へ向かうように傾斜している。よって、本変形例によれば、一例としては、通路３３Ｂから通路３０ａ内に入った潤滑剤等の液体は、ガイド壁部３４Ｉによって案内され、開口部３０ｇ側とは反対側かつ軸受２４側へ向けて流れる。すなわち、本変形例では、ガイド壁部３４Ｉによって、当該ガイド壁部３４Ｉの上面側に、潤滑剤等の液体を、開口部３０ｇとは反対側へ案内する（流す）とともに軸受２４側へ案内する（流す）通路３３Ｉ（第二の通路、第三の通路）が構成されている。よって、一例としては、通路３３Ｉ（ガイド壁部３４Ｉ）により、通路３３Ｂから通路３０ａ内に入った潤滑剤等の液体が、開口部３０ｇ近傍に存在することが抑制される。よって、一例としては、回転電機および巻上機、またその周辺機器に対する影響を抑制でき、液体による不都合な事象がより一層生じ難くなる。また、一例としては、潤滑剤等の液体が軸受２４の潤滑に再利用されやすい。
【００３３】
＜第１実施形態の第９変形例＞
本変形例にかかる回転電機１Ｊは、上記他の実施形態や変形例にかかる回転電機１Ａ〜１Ｉと同様の構成を備えている。よって、本変形例によっても、上記他の実施形態や変形例と同様の構成に基づく同様の結果が得られる。ただし、本変形例では、一例として、図１２に示されるように、突出部３０Ｊの壁部３０ｂの上面３０ｊ（受部３２の底面、面）が通路３３Ｂが下方となるように傾斜している点が、上記他の実施形態や変形例とは異なる。具体的に、本変形例では、壁部３０ｂには、回転軸Ａｘの軸方向からの視線でシャフト４ｂの直下方となる位置に、通路３３Ｂが設けられている。受部３２の底部は、すり鉢状に形成されている。すなわち、本変形例では、一例として、突出部３０Ｊの壁部３０ｂの上面３０ｊ側に、潤滑剤等の液体を通路３０ａ内へ案内する（流す）通路３３Ｊ（第二の通路）が構成されている。よって、本変形例によれば、一例としては、受部３２に入った潤滑剤等の液体は、上面３０ｊ上ならびに通路３３Ｂを介して通路３０ａに入る（案内される）。よって、一例としては、回転電機および巻上機、またその周辺機器に対する影響を抑制でき、液体による不都合な事象がより一層生じ難くなる。
【００３４】
＜第２実施形態＞
本実施形態にかかる回転電機１Ｋは、上記他の実施形態や変形例にかかる回転電機１Ａ〜１Ｊと同様の構成を備えている。よって、本実施形態によっても、上記他の実施形態や変形例と同様の構成に基づく同様の結果が得られる。ただし、本実施形態では、一例として、図１３に示されるように、通路３０ａが下方に向けて開口され、通路３０ａの下方の端部に位置される開口部３０ｇが蓋部材３１で覆われている点が、上記他の実施形態や変形例とは異なる。また、本実施形態では、一例として、突出部３０Ｋの内部には、通路３０ａは形成されていない。突出部３０Ｋは、端部材２２の壁部２２ａとともに受部３２を構成している。また、本実施形態では、一例として、突出部３０Ｋは、端部材２２の一部として一体的に構成されている。受部３２は、突出部３０Ｋの壁部３０ｃ（周壁、側壁）、壁部３０ｅ（底壁）、ならびに端部材２２の壁部２２ａによって囲まれて構成されている。そして、受部３２と収容室２２ｅとを連通する通路３３Ｋ（第二の通路）が、壁部２２ａに設けられている。本実施形態によっても、一例としては、開口部２２ｇからケース２の外側に出た潤滑剤等の液体による不都合な事象がより生じ難くなる。
【００３５】
＜第２実施形態の第１変形例＞
本変形例にかかる回転電機１Ｌは、上記他の実施形態や変形例にかかる回転電機１Ａ〜１Ｋと同様の構成を備えている。よって、本変形例によっても、上記他の実施形態や変形例と同様の構成に基づく同様の結果が得られる。ただし、本変形例では、一例として、図１４に示されるように、突出部３０Ｌが、端部材２２とは別の部材３４Ｌによって構成されている。部材３４Ｌは、壁部２２ａに、例えば、溶接や、結合具（例えば、ねじ、図示されず）による結合等によって、接続されている。受部３２は、部材３４Ｌの壁部３４ａ（底壁）、壁部３４ｂ（周壁、側壁）、ならびに端部材２２の壁部２２ａによって囲まれて構成されている。また、部材３４Ｌは、壁部２２ａに接続される（固定される）フランジ部３４ｃを有している。本変形例によれば、一例としては、突出部３０Ｌがより容易に構成されやすい場合がある。
【００３６】
＜第２実施形態の第２変形例＞
本変形例にかかる回転電機１Ｍは、上記他の実施形態や変形例にかかる回転電機１Ａ〜１Ｌと同様の構成を備えている。よって、本変形例によっても、上記他の実施形態や変形例と同様の構成に基づく同様の結果が得られる。ただし、本変形例では、一例として、図１５に示されるように、突出部３０Ｍが、蓋部材３１Ｍ（蓋）によって構成されている。受部３２は、蓋部材３１Ｍの壁部３１ａ（底壁）、壁部３１ｂ（周壁、側壁）、ならびに端部材２２の壁部２２ａによって囲まれて構成されている。本変形例によれば、一例としては、突出部３０Ｍがより容易に構成されやすい場合がある。
【００３７】
＜第２実施形態の第３変形例＞
本変形例にかかる回転電機１Ｎは、上記他の実施形態や変形例にかかる回転電機１Ａ〜１Ｍと同様の構成を備えている。よって、本変形例によっても、上記他の実施形態や変形例と同様の構成に基づく同様の結果が得られる。ただし、本変形例では、一例として、図１６に示されるように、突出部３０Ｎが、端部材２２とは別の部材３４Ｎによって構成されている。部材３４Ｎは、壁部２２ａに、例えば、溶接や、結合具（例えば、ねじ、図示されず）による結合等によって、接続されている。受部３２は、部材３４Ｎの壁部３４ａ（底壁）、壁部３４ｂ（周壁、側壁）、ならびに端部材２２の壁部２２ａによって囲まれて構成されている。また、本変形例では、一例として、受部３２の底面（底壁）を構成する壁部３４ａが通路３３Ｋ側（通路３０ａ側、収容室２２ｅ側）に向けて下方に傾斜している。すなわち、本変形例では、一例として、壁部３４ａの上面側に、潤滑剤等の液体を通路３０ａあるいは収容室２２ｅへ案内する通路３３Ｎ（第二の通路）が構成されている。また、壁部３４ａの一部（端部）が通路３３Ｋ内に入っている。よって、本変形例によれば、一例としては、受部３２で受けた潤滑剤等の液体が、より通路３０ａ側（収容室２２ｅ側）へ流れやすい。
【００３８】
＜第３実施形態＞
本実施形態にかかるエレベータ用の巻上機１００は、一例として、図１７に示されるように、モータ１０１（回転電機）や、軸受装置１０２（軸受）、シーブ１０４、ブレーキ装置１０６、回転検出装置１０７等を備えている。巻上機１００は、ベース１１０（台座）上に固定されている。ベース１１０には、間隔をあけて配置された二つの軸受装置１０２が固定されている。二つの軸受装置１０２は、シャフト１０３を回転可能に支持する。シャフト１０３はモータ１０１によって回転される。モータ１０１の少なくともロータやステータ（図示されず）を含む部分の構成は、上記他の実施形態あるいは変形例にかかる回転電機１Ａ〜１Ｎの構成と同様であることができる。シャフト１０３は、モータ１０１のロータによって回転される。モータ１０１は、一方（図１７では左側）の軸受装置１０２に取り付けられ、支持されている。また、ブレーキ装置１０６ならびに回転検出装置１０７は、他方（図１７では右側）の軸受装置１０２に取り付けられ、支持されている。シーブ１０４は、シャフト１０３と接続され、モータ１０１によって、略水平な回転軸Ａｘ回りに回転される。シーブ１０４には、ロープ１０５が掛けられる（掛け回される）。シャフト１０３の回転に伴うシーブ１０４の回転により、ロープ１０５に吊されたエレベータのかご（図示されず）が昇降する。ロープ１０５は、ベース１１０の開口部１１０ａを貫通している。
【００３９】
そして、巻上機１００には、図１７に示されるような複数の箇所（図１７では一例として３箇所）に、上記他の実施形態あるいは変形例にかかる回転電機１Ａ〜１Ｎに含まれたものと同様の突出部３０が装備されることができる。突出部３０のそれぞれには受部３２が設けられている。本実施形態では、一例として、モータ１０１や、軸受装置１０２、ブレーキ装置１０６、回転検出装置１０７のそれぞれのケースの、シャフト１０３が貫通する開口部（貫通部、図示されず）の下方となる位置に、受部３２が設けられた突出部３０が取り付けられている。よって、本実施形態によれば、一例としては、各装置のケースに設けられた開口部から潤滑剤等の液体が漏れた場合にあっても、当該液体を受部３２で受けることができる。よって、一例としては、漏れた液体による不都合な事象が生じるのが抑制されやすい。よって、一例としては、漏れた潤滑剤等の液体が、開口部１１０ａから下方に落下したり、漏れた液体が他の装置に作用したりするのが抑制されやすい。
【００４０】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【符号の説明】
【００４１】
１Ａ〜１Ｎ…回転電機、２…ケース、３…ステータ、４…回転部、４ａ…ロータ、２２ｅ…収容室（収容部）、２２ｇ…開口部（貫通部）、２４…軸受、３０，３０Ａ〜３０Ｎ…突出部、３０ａ…通路、３０ｇ…開口部（開口）、３０ｈ…障壁部、３１，３１Ｍ…蓋部材（蓋）、３２…受部、３３Ｂ，３３Ｃ，３３Ｅ，３３Ｊ，３３Ｋ，３３Ｎ…通路（第二の通路）、３３Ｄ，３３Ｆ，３３Ｇ，３３Ｈ，３３Ｉ…通路（第二の通路、第三の通路）、１００…巻上機、１０１…モータ（回転電機）。
【図１】
2014050148.tif 000003
【図２】
2014050148.tif 000004
【図３】
2014050148.tif 000005
【図４】
2014050148.tif 000006
【図５】
2014050148.tif 000007
【図６】
2014050148.tif 000008
【図７】
2014050148.tif 000009
【図８】
2014050148.tif 000010
【図９】
2014050148.tif 000011
【図１０】
2014050148.tif 000012
【図１１】
2014050148.tif 000013
【図１２】
2014050148.tif 000014
【図１３】
2014050148.tif 000015
【図１４】
2014050148.tif 000016
【図１５】
2014050148.tif 000017
【図１６】
2014050148.tif 000018
【図１７】
2014050148.tif 000019